(57)【特許請求の範囲】
【請求項１】
プレストレストコンクリートグラウトを生成するために用いる、セメントホッパ本体とセメント投入手段とを備えたセメントホッパであって、
前記セメント投入手段の内部に、前記セメントホッパ本体からセメントが供給される方向に対し垂直な方向を回転軸とし、この回転軸から等角度で延びる複数の仕切板を設けたドラムを備え、前記複数の仕切板の表裏に、それぞれジベルを設けたことを特徴とするセメントホッパ。
【請求項２】
前記ジベルは前記仕切板に対し垂直に延びて設けられていることを特徴とする請求項１に記載のセメントホッパ。
【請求項３】
前記ジベルは複数設けられていることを特徴とする請求項１、もしくは請求項２に記載のセメントホッパ。
【請求項４】
前記セメントホッパ本体と前記セメント投入手段とは、取り外し可能であることを特徴とする請求項１ないし請求項３の何れかに記載のセメントホッパ。
【発明の詳細な説明】
【０００１】
【発明の属する技術分野】
本発明は、ＰＣ（プレストレストコンクリート）グラウトを生成するために用いるセメントホッパに関する。
【０００２】
【従来の技術】
セメントホッパは、ＰＣグラウトを生成する工程で、グラウトミキサへセメントを投入するものである。セメント投入手段に設けられたハンドルを回転させることにより、一定の間隔でセメントをグラウトミキサへ投入することができる。
【０００３】
【発明が解決しようとする課題】
しかしながら、従来、この種のセメントホッパでは、一定の間隔でセメントをグラウトミキサへ投入することは可能であっても、一定の間隔で投入されるセメントの量はまちまちであった。一定量のセメントをグラウトミキサへ投入することができないと、生成されるＰＣグラウトの質にばらつきが生じ、品質の安定したＰＣグラウトを得ることが困難になる。
また、セメントホッパに対し人力でセメントの供給が行われるため、供給されるセメントがホッパ内部のプロペラに煽られて粉塵が生じるという問題もあった。
【０００４】
そこで、本発明は、上記のような従来技術の有する問題点に鑑みなされたものであり、その目的は、簡易な操作で一定量のセメントを分離・投入して品質の安定したＰＣグラウトの生成が可能なセメントホッパを提供することにある。また、粉塵が発生しないセメントホッパを提供することも本発明の目的である。
【０００５】
【課題を解決するための手段】
本発明の請求項１に記載のセメントホッパは、上記目的を達成するため、ＰＣグラウトを生成するために用いる、セメントホッパ本体とセメント投入手段とを備えたセメントホッパであって、前記セメント投入手段の内部に、前記セメントホッパ本体からセメントが供給される方向に対し垂直な方向を回転軸とし、この回転軸から等角度で延びる複数の仕切板を設けたドラムを備え、前記複数の仕切板の表裏に、それぞれジベルを設けたことを特徴とする。
本発明の請求項２に記載のセメントホッパは、請求項１に記載のセメントホッパにおいて、前記複数の仕切板の表裏に、それぞれ前記仕切板に対し垂直に延びる前記ジベルを設けたことを特徴とする。
本発明の請求項３に記載のセメントホッパは、請求項１、もしくは請求項２に記載のセメントホッパにおいて、前記ジベルを複数設けたことを特徴とする。
本発明の請求項４に記載のセメントホッパは、請求項１ないし請求項３の何れかに記載のセメントホッパにおいて、前記セメントホッパ本体と前記セメント投入手段とを取り外し可能にしたことを特徴とする。
【０００６】
【発明の実施の形態】
以下、図示した一実施の形態に基づき、本発明を詳細に説明する。
【０００７】
図１は、本発明のセメントホッパの外観を示す斜視図である。本発明のセメントホッパは、セメントホッパ本体１と、セメント投入手段２とにより構成される。また、セメント投入手段２にはハンドル３が備えられている。このハンドル３を回転させることにより、セメント投入手段２の下部に設けられたセメント投入口（図示せず）から、セメントホッパ本体１から供給されるセメントを一定量に分離して一定の間隔で図示しないグラウトミキサへ投入することができる。また、セメントホッパ１とセメント投入手段２とは取り外し可能になっている。
【０００８】
図２は、セメント投入手段２の内部に搭載されるドラム４の構造を示す斜視図である。図３は、図２に示すＡ−Ａ線に沿う断面図である。このドラム４には、回転軸５から等角度で伸びる複数の仕切板６が設けられている。さらに、それぞれの仕切板６の表裏には、仕切板６に対し垂直に延びる円柱形状のジベル７が２つ設けられている。仕切板６の大きさはすべて等しく、また、ジベル７の大きさもすべて等しくなっている。このドラム４は、前記セメントホッパ本体１からセメントが供給される方向に対し垂直な方向に回転軸５がくるようにセメント投入手段２の内部に設置される。そして、図１に示したハンドル３をまわすことにより、回転軸５を中心に回転する。
【０００９】
本発明のセメントホッパは上記のように構成されているため、セメントホッパ本体１から供給されるセメントを分離して、ドラム４のそれぞれ２つの仕切板６で区切られた部分に等量のセメントを保持することができる。したがって、ハンドル３を回転させることで、セメントホッパ本体１から供給されるセメントを一定量に分離して一定の間隔で前記グラウトミキサへ投入することができる。このように、本発明のセメントホッパによれば、グラウトミキサに投入するセメントの量を制御することができる。その結果、生成するＰＣグラウトの品質を一定に保ち、品質の安定したＰＣグラウトを供給することが可能になる。
加えて、本発明のセメントホッパでは、仕切板６の表裏に２つのジベル７を設けたことにより、２つの仕切板６で区切られた部分に保持するセメントが大きな固まりになることを防止し、セメントをスムーズにグラウトミキサへ投入することができる。
【００１０】
また、ドラム４は次のように構成してもよい。図４は、図２に示したドラム４の変形例を示す斜視図である。図５は、図４に示すＢ−Ｂ線に沿う断面図である。ここに示すドラム４’の特徴は、円柱形状ではなく板状のジベル７’が設けられている点にある。すなわち、このドラム４’には、それぞれ２つの仕切板６で区切られた部分に、仕切板６に対し垂直に延びる板状のジベル７’が２つ設けられている。ジベル７’の大きさはすべて等しくなっている。ドラム４’のその他の構成は、図２に示したドラム４と同様である。
このドラム４’を用いた場合の効果は図２に示したドラム４を用いた場合と同様であるが、特にドラム４’の場合、２つの仕切板６で区切られた部分に保持するセメントを小さく３つに分割することで、そのセメントが大きな固まりになることを防止する点に特徴がある。
【００１１】
また、本発明のセメントホッパでは、セメント投入手段２内部に仕切板６が設けられているドラム４（またはドラム４’）を備えることにより、セメントホッパ本体１内に従来のようなプロペラを設けずに済む。したがって、セメントホッパ本体１にセメントを供給する際に粉塵が舞い上がることはない。
さらに、本発明のセメントホッパでは、セメントホッパ本体１とセメント投入手段２とが取り外し可能な構成になっているため、運搬が容易である。
【００１２】
以上、本発明の一実施形態を図面に沿って説明した。しかしながら本発明はこの実施の形態に示した事項に限定されず、特許請求の範囲の記載に基づいてその変更、改良等が可能であることは云うまでもない。例えば、ドラム４に設ける仕切板６の数や、ドラム４の回転軸５に対する仕切板６同士の間の角度を任意に設定し、セメントミキサへ投入するセメントの量を調整することができる。
【００１３】
【発明の効果】
上述のように、本発明によれば、簡易な操作で一定量のセメントを分離・投入して品質の安定したＰＣグラウトの生成が可能なセメントホッパを提供することができる。また、粉塵が発生しないセメントホッパを提供することができる。
【図面の簡単な説明】
【図１】本発明のセメントホッパの外観を示す斜視図である。
【図２】セメント投入手段２の内部に備えられるドラム４の構造を示す斜視図である。
【図３】図２に示すＡ−Ａ線に沿う断面図である。
【図４】セメント投入手段２の内部に備えられるドラム４’の構造を示す斜視図である。
【図５】図４に示すＢ−Ｂ線に沿う断面図である。
【符号の説明】
１  セメントホッパ本体
２  セメント投入手段
３  ハンドル
４、４’  ドラム
５  回転軸
６  仕切板
７、７’  ジベル
【図１】
0003720311.tif 000002
【図２】
0003720311.tif 000003
【図３】
0003720311.tif 000004
【図４】
0003720311.tif 000005
【図５】
0003720311.tif 000006